Podtech/llm-jp-corpus-v4-ja_patent huggingface dataset:
(57)【要約】      （修正有）【課題】生鮮、加工食品表面及び冷凍商品の解凍後の雑菌が発生するのを抑制防止する抗菌環境を作り出す方法の提供。【解決手段】貝殻の高温焼成高純度粉末（貝殻の高温焼成高純度粉末で水溶液に混濁した場合いのｐＨ１２以上のアルカリ反応と飽和量を有する性能の粉のこと）を生鮮・冷凍・冷蔵食品表面に塗布・撒布することでの抗菌環境を作り出す制御方法。ならびに、該貝殻の高温焼成高純度粉末を生鮮・冷凍・冷蔵食品の表面に塗布・撒布する水に対して付加混合する。混濁水に浸漬、混濁水の氷を使用することでの抗菌環境を作り出す制御方法。【選択図】なし【特許請求の範囲】
【請求項１】
貝殻の高温焼成高純度粉末（貝殻の高温焼成高純度粉末で水溶液に混濁した場合いのｐＨ１２以上のアルカリ反応と飽和量を有する性能の粉のこと）を生鮮・冷凍・冷蔵食品表面に塗布・撒布することでの抗菌環境を作り出す制御方法。
【請求項２】
貝殻の高温焼成高純度粉末（貝殻の高温焼成高純度粉末で水溶液に混濁した場合いのｐＨ１２以上のアルカリ反応と飽和量を有する性能の粉のこと）を生鮮・冷凍・冷蔵食品の表面に塗布・撒布する水に対して付加混合する。混濁水に浸漬、混濁水の氷を使用することでの抗菌環境を作り出す制御方法。
【請求項３】
貝殻の高温焼成高純度粉末で水溶液に混濁した場合いのｐＨ１２以上のアルカリ反応と飽和量を有する。
【請求項３】
水溶液で使用するものである。
【請求項４】
無味無臭である。
【請求項５】
透明である。
【発明の詳細な説明】
【課題】
食品表面にカビ、腐敗菌が発生するのを抑制する。
環境に対しても負荷が低く、従来の工程に対しても簡単に付加できる方法。
【解決手段】
貝殻の高温焼成高純度粉末を使用して、生鮮・冷凍・冷蔵食品の冷蔵・冷凍時に表面塗布・撒布または、浸漬することを特徴とする抗菌制御方法。この時の要件として、貝殻の高温焼成高純度粉末で、水溶液に混濁した場合いのｐＨ１２以上のアルカリ反応と飽和量の到達が必要となる。
【発明の詳細な説明】
【技術分野】
【００１】本発明は、抗菌制御をすることができ、従来行われている製造方法に簡単に付加することもでき、従来の保存期間を飛躍的に遅延させることを可能にする方法の技術の提供。
【背景技術】
【００２】従来の生鮮、加工食品を冷凍冷蔵保存するうえで、アルコール等の抗菌制御技術で鮮度を保持し、賞味期間のわずかな遅延を図っている。【００３】生鮮、加工食品の冷凍、冷蔵保存の環境における雑菌の繁殖を抑制する方法は、（１）生鮮、加工食品が低温であるため雑菌が繁殖しにくい。しかし、常温環境下においては雑菌の繁殖に注意する必要がある。生鮮、加工食品に防腐剤を同封する方法、生鮮、加工食品を抗菌加工する方法等の科学的処理方法（２）生鮮、加工食品の製造過程での無菌環境下で行い、包装加工処理する物理的方法。【００４】現在、化学的手法により抗菌制御を行っている。環境ホルモン汚染、アレルギー等の原因と疑われる化学合成物質を使用しての保存方法からの回避をする傾向が進み使用しない方法が望まれている。また、物理的方法は処理、技術が複雑、特別な仕組み器具機器が必要で費用が高額になる。
【発明が解決しようとする課題】
【００５】本発明は生鮮、加工食品の抗菌制御を従来の手順に対して付加することで、環境に優しく安全で簡単にできる手段を使用して解決した抗菌制御方法を提供することを目的とする。
【課題が解決するための手段】
【００６】この本発明は、貝殻の高温焼成高純度粉末を飽和水溶液で使用して生鮮、加工食品に簡単に付加することが特徴とする。生鮮、加工食品の抗菌制御方法に適用される加工食品に関する。
【発明を実施するための形態】
【００７】本発明は、貝殻の高温焼成高純度粉末を飽和水溶液で使用することで抗菌制御することである。
【００８】貝殻は粉砕、微粉砕しただけでは、抗菌活性は認められないが、高温下（１，１００℃以上）で指定時間焼成処理（均一長時間）をすることで抗菌性が発現する。焼成後の粉に対して粉砕を施した微粉末を飽和水溶液で使用する。
【００９】従来の製造工程に大きな影響を及ばすことなく、また、安価に提供でき雑菌繁殖の遅延を実現したその方法を確立して提供できる。
(57)【要約】      （修正有）【課題】使われなくなった廃棄牛乳や余剰牛乳などの資源の有効利用方法を提供する。【解決手段】使われなくなった期限切れ牛乳及び余剰牛乳を回収して発酵容器に入れ込み、乳酸発酵を行うことでヨーグルトを生成させ、生成したヨーグルトを土壌内に添加したり、葉面環境に添加し、有害菌の抑制が行われると同時に有効菌の繁殖を促す。これらの作用により土壌内の微生物環境及び植物の生育環境が改善されることで間接的に減農薬農業環境ができる。【選択図】なし【特許請求の範囲】
【請求項１】
本発明は使われなくなった期限切れ牛乳及び余剰牛乳を回収して発酵容器に入れ込み、乳酸発酵を行うことでヨーグルトを生成させる。生成したヨーグルトを農業生産現場に利用することで、ヨーグルトに含まれるそれぞれの成分効果を得ることができると同時にヨーグルトを農業に利用することで使われなくなった廃棄牛乳や余剰牛乳などの資源の有効利用になるなどの特徴を有する廃棄牛乳の再利用方法。
【発明の詳細な説明】
【技術分野】
【０００１】  本発明は期限切れ牛乳などの使われなくなった牛乳を再利用することで資源の有効利用を得る方法である。
【背景技術】
【０００２】  期限切れ牛乳は一部を除いて廃棄物として扱われ、廃棄物処理が行われる、本発明はこれらの処理費用を削減させると同時に廃棄牛乳からヨーグルトを生成させ、そのヨーグルトの農業生産現場に再利用する事で含有する成分効果を得ることができる。
特許文献に付きましては、調べましたが本発明に関連した文献はありませんでした。
【発明の開示】
【発明が解決しようとする課題】
【０００３】  本企画を計画したのは、牛乳が捨てられている現場を見て、なんとか再利用する方法はないのだろうかと考えたのが研究の始まりでした。
【課題を解決するための手段】
【０００４】  牛乳の再利用を考えたとき、牛乳をそのまま農業に利用する方法を模索したが高分子から成り立つ牛乳を土壌に入ると分解の際有毒ガスが発生すると同時に土壌内の酸素欠乏状態が生じるため断念する。
牛乳を高分子から低分子に移行する方法として乳酸発酵を利用したヨーグルト製造する方法を取り入れることにした。
廃棄牛乳からのヨーグルト製造は古い牛乳を原料とするために乳酸発酵が上手くいかない場合もある。期限切れ牛乳が持ち込まれると同時に低温を維持しながらできる限り早く発酵槽で乳酸発酵を行いヨーグルト生成を得なければならない。
【発明の効果】
【０００５】  ヨーグルト成分を用いた農業は広範囲に行われた。果樹栽培、水稲栽培、ハウス栽培（野菜）、主に東北地方。
ヨーグルトの含有成分は種類が多い、アミノ酸、有機酸、低分子ペプチド、カルシュウム、その他微量成分を含めるとかなり多くの成分量になる。したがって、それらの成分が土壌内及び葉面環境に添加されることで個々の成分効果を得ることができる。さらに、ヨーグルトの特徴的成分には抗菌作用を有する物質も含有され（低分子ペプチド）それらは植物の生育環境に有効に働くなどの特徴を有する。
【発明を実施するための最良の形態】
【０００６】  農業現場においてヨーグルト成分を利用する方法は土壌内に添加する方法と葉面環境に添加する方法の二種類になる。またヨーグルト成分は有機物である。高温状態や直射日光を加えると成分が変化するのである。したがって、使用する２〜３日前の日に農家に配達する必要がある。
【実施例】
【０００７】  農業現場においてヨーグルト成分を利用する方法は土壌内に添加する方法と葉面環境に添加する方法の二種類になる。
ヨーグルト成分の利用は植物の種類によって異なるため、りんご栽培とトマト栽培の実施例を用いて説明する。
りんご栽培の場合は雪解けの４月ヨーグルト成分を５００倍に水に薄めて葉面散布する。さらに、６月はじめ頃からヨーグルトを５００倍に薄めて１０日置きに葉面散布すると同時に９月２５日位まで連続的に散布する。
トマト栽培の場合は、トマト栽培を予定した土壌に堆肥及び化成肥料を散らした上からヨーグルトを３００倍に水で薄めて散布する。さらに土壌をトラクターで土壌混合して１５日経過後トマトの苗木を定植する
【産業上の利用可能性】
【０００８】  我が国の農業は全体的に減農薬農業を目指しています。ヨーグルト成分の最も大きな特徴はヨーグルト成分由来の整腸効果である。したがって、ヨーグルト成分が土壌内に添加されることで有害菌の抑制が行われると同時に有効菌の繁殖を促します。これらの作用により土壌内の微生物環境及び植物の生育環境が改善されることで間接的に減農薬農業環境ができる。
(57)【要約】      （修正有）【課題】フィルムまたはシート等を開孔して気液流通孔を付与する場合に於ける流通孔の機能を改善したフィルム又はシートを提供する。【解決手段】合成樹脂またはゴムのフィルムまたはシート１の表面に気液流通する、孔径０．３ｍｍから１．５ｍｍの中空径を有する管状の突起物２を付与する。【選択図】図１
2017023121.tif 000002
【特許請求の範囲】
【請求項１】
合成樹脂またはゴムのフィルムまたはシートの表面に孔径０．３ｍｍから１．５ｍｍの中空径を有する管状の突起物を付与して気液の流通を図るフィルムまたはシート材。
【請求項２】
請求項１の突起物の付与はそのフィルムまたはシート面に点状、線状の配置とする。
【発明の詳細な説明】
【技術分野】
【０００１】  本願発明はフィルムまたはシート状物の面に気液が流通する管状物を付与したフィルムまたはシートに関する。
【背景技術】
【０００２】  フィルムまたはシート状物に多数の開孔部を設けて気液を通過させる方法は、濾過や分別分離等で広く実施されている。またこれらのフィルムやシート類の一部を開閉させる（実用新案公告平１−３１００９）や積層方式等での方法等、多くのものがあるが、それぞれには長所と欠点がある。
【本願の効果】
【０００３】  本願は、現在までに実施されてきたフィルムやシート面に気液を流通させる為に開孔する方法に於いて全く異なった発想による気液の流通部を付与するものである。透明なフィルムやシートによる雨水の浸入を防止して窓等や通路を遮蔽するが空気は通るとか、黒く着色して通気性暗幕とする等も出来る。また農園芸や果樹園等での防草シートとすれば降雨水は透過するが平面な開孔ではない為、太陽光は遮断されて雑草は生えない特異な効果を有する防草材となる。即ち流通孔は細くて長く曲がっており、雑草の芽の伸長はない。
【０００４】  本願での管状突起の気液流通孔をフィルムやシートに付与する方法とは異なり、現在実施されている開孔や交互積層等の方法ではそれぞれの方法には皆それぞれの欠点が存在したが、本願ではこれらの欠点は補正された。
【実施例】
【０００５】  本願での管状突起物をフィルムまたはシート等に付与する方法は本願以外に例えば加熱した棒状体で作成するとか、超音波装置での棒状突起で作製する方法もあるが熱で溶融した部分が付着して分離できないとか、また超音波方式では先端の発振部分の製作が至難で、かつ破壊しやすく生産性が劣るものであった。本願は棒状の突起部はフッ素系樹脂塗布により剥離性を図り、フィルムやシートに対する熱風の照射角度等を調整する事により管状突起物を作り、次いでこれを急冷する方法にて作製して、その先端部を切除して流通孔とした。その概要例を開示すれば、メルトインデックス値１２のポリエチレンフィルムを回転するローラー面に接触させて１２０℃から１３０℃の熱風を吹きつけ、送り速度に同調して突起作製用棒状体を進退させて作製した。【０００６】  以下図を用いて説明する。１はフィルムやシート類を示す。２は管状突起物を示す。
【図１】
2017023121.tif 000003
【手続補正書】
【提出日】平成27年9月19日(2015.9.19)
【手続補正１】
【補正対象書類名】明細書
【補正対象項目名】全文
【補正方法】変更
【補正の内容】
【発明の詳細な説明】
【技術分野】
【０００１】本願発明はフィルムまたはシート状物の面に気液が流通する管状物を付与したフィルムまたはシートに関する。
【背景技術】
【０００２】フィルムまたはシート状物に多数の開孔部を設けて気液を通過させる方法は、濾過や分別分離等で広く実施されている。またこれらのフィルムやシート類の一部を開閉させる（実用新案公告平１−３１００９）や積層方式等での方法等多くのものがあるが、それぞれには長所と欠点がある。
【本願の効果】
【０００３】本願は、現在までに実施されてきたフィルムやシート面に気液を流通させる為に開孔する方法に於いて全く異なった発想による気液の流通部を付与するものである。透明なフィルムやシートによる雨水の浸入を防止して窓等や通路を遮蔽するが空気は通るとか黒く着色して通気性暗幕とする等も出来る。また農園芸や果樹園等での防草シートとすれば降雨水は透過するが平面な開孔ではない為、太陽光は遮断されて雑草は生えない特異な効果を有する防草材となる。即ち流通孔は細くて長く曲がっており、雑草の芽の伸長はない。
【０００４】本願での管状突起の気液流通孔をフィルムやシートに付与する方法とは異なり、現在実施されている開孔や交互積層等の方法ではそれぞれの方法には皆それぞれの欠点が存在したが、本願ではこれらの欠点は補正された。
【実施例】
【０００５】本願での管状突起物をフィルムまたはシート等に付与する方法は本願以外に例えば加熱した棒状体で作成するとか、超音波装置での棒状突起で作製する方法もあるが熱で溶融した部分が付着して分離できないとか、また超音波方式では先端の発振部分の製作が至難で、かつ破壊しやすく生産性が劣る物であった。本願は棒状の突起部はフッ素系樹脂塗布により剥離性を図り、フィルムやシートに対する熱風の照射角度等を調整する事により管状突起物を作り、次いでこれを急冷する方法にて作製して、その先端部を切除して流通孔とした。  その概要例を開示すれば、メルトインデックス値１２のポリエチレンフィルムを回転するローラー面に接触させて１２０℃から１３０℃の熱風を吹きつけ、送り速度に同調して突起作製用棒状体を進退させて作製した。
【図面の簡単な説明】
【０００６】
【図１】フィルムまたはシートと管状突起物の形状である。図面中、１はフィルムやシート類を示す。２は管状突起物を示す。
(57)【要約】【課題】本発明は、乾麺（パスタやそばなどの乾麺）の茄で作業について、一般家庭でプロの調理人のような調理を簡単かつ安全に行うための具体的な補助具を提案するものである。【解決手段】一定量（１〜２人前）の乾麺（パスタやそばなどの乾麺）の束の上端から乾麺（パスタやそばなどの乾麺）の全長の４分の１ほど下がった部分を握り、本発明品の中心に位置するガイド頂点(図面のA) を乾麺（パスタやそばなどの乾麺）の束の上部中央部分に差込む。本発明品を時計回りに回すことで、中心部の頂点を起点に均等に放射されたエビ反り状の羽根をガイドにして鍋の中で乾麺（パスタやそばなどの乾麺）が放射形状に開く。鍋の中で、乾麺（パスタやそばなどの乾麺）が柔らかくなるのを確認しながら、乾麺（パスタやそばなどの乾麺）を下部へ押し込んでいくだけで誰でも失敗することなく簡単かつ安全に乾麺（パスタやそばなどの乾麺）の茄で作業ができることを特徴とする。【選択図】図１
2017023561.tif 000002
【特許請求の範囲】
【請求項１】
乾麺固定リング内に乾麺を放射状に広げるためのガイドを備え付けた乾麺専用調理補助具。
【発明の詳細な説明】
【技術分野】
【０００１】
本発明は乾麺（パスタやそばなどの乾麺）の茄で作業を、一般家庭の深さがない鍋でも安全かつ簡単に行うための具体的な調理補助具を提案するものである。
【背景技術】
【０００２】
日本の乾麺（パスタやそばなどの乾麺）を食する文化の普及を鑑みるに家庭で乾麺（パスタやそばなどの乾麺）を調理する機会は殊の外多い。乾麺（パスタやそばなどの乾麺）を茹で始める際の乾麺（パスタやそばなどの乾麺）を広げながら鍋に入れる作業には、ちょっとしたコツが必要で、家庭ではなかなかプロの料理人のように上手く乾麺（パスタやそばなどの乾麺）を放射状に広げることができない事により、茄で作業を失敗することがよくある。因みになぜ乾麺（パスタやそばなどの乾麺）を放射状に広げながら鍋に入れる必要があるかといえば、広げながら入れる事により鍋の面積を均等かつ最大限に利用できる。さらに、鍋の縁に麺が触れて焦げたり張り付いたりさせないためである。であるから、プロが使用する深い寸胴などに比べて、一般的な家庭の浅い鍋ではこの作業の必要性はより高い。
【発明の概要】
【発明が解決しようとする課題】
【０００３】
乾麺（パスタやそばなどの乾麺）を茹でるために、鏑の中でに乾麺（パスタやそばなどの乾麺）を入れる際に上手く放射状に広げることができない事により、次のような問題点があった。
(１)鍋から乾麺（パスタやそばなどの乾麺）がはみ出して焦がしてしまう。
(２)鍋に乾麺（パスタやそばなどの乾麺）がくっついてしまう。
(３)作業に手間取って湯気で火傷をしてしまう。
(４)密着しながら茹でることで乾麺（パスタやそばなどの乾麺）同士がくっついてしまう。
本発明は、これらの問題を解決するためのものである。
【課題を解決するための手段】
【０００４】
一定量（１〜２人前）の乾麺（パスタやそばなどの乾麺）の束の上端から乾麺（パスタやそばなどの乾麺）の全長の４分の１ほど下がった部分を握り、本発明品の中心に位置するガイド頂点(図面のA) を乾麺（パスタやそばなどの乾麺）の束の上部中央部分に差込む。本発明品を時計回りに回すことで、中心部の頂点を起点に均等に放射されたエビ反り状の羽根をガイドにして鍋の中で乾麺（パスタやそばなどの乾麺）が放射状にきれいに開く。鍋の中で、乾麺（パスタやそばなどの乾麺）が柔らかくなるのを確認しながら、乾麺（パスタやそばなどの乾麺）を下部へ押し込んでいく。
【発明の効果】
【０００５】
本発明品を使用することで特別な技術を必要とせず問題が解決でき、誰でもプロの料理
人のように乾麺（パスタやそばなどの乾麺）が放射状にきれいに広がり、失敗なく茄で作業を上手に行うことができる。
【図面の簡単な説明】
【０００６】
【図１】本発明の斜視図である。
【図２】本発明の平面図である。
【図３】本発明使用時の効果を表した図である。
【発明を実施するための形態】
【０００７】
1. 一定量の乾麺（パスタやそばなどの乾麺）の束の上端から乾麺（パスタやそばなどの乾麺）の全長の４分の１ほど下がった部分を握り、鍋の中央部分にセットする。
2.乾麺（パスタやそばなどの乾麺）上部の中央部分に補助具の中心を差し込む。
3. 本発明品を時計回りに回すと乾麺（パスタやそばなどの乾麺）が放射状にきれいに開く。
4. 乾麺（パスタやそばなどの乾麺）が柔らかくなるのを確認しながら下へ押し込んでいく。
【符号の説明】
【０００８】
(A)ガイド頂点（中心）(B)ガイド(C)パスタ固定リング(D)グリップ
(E)パスタ
【図１】
2017023561.tif 000003
【図２】
2017023561.tif 000004
【図３】
2017023561.tif 000005
(57)【要約】      （修正有）【課題】従来の折れ線成型用雄型の製造方法である、平面又は円筒形の板材に帯状の罫線を打ち込んで製作する一般的な製作工程における、手間がかかり、生産性の向上はあまり望めないという大きな問題を解決した製造方法を提供すること。【解決手段】板紙、段ボール、又は樹脂フィルムの折れ線を押圧成形加工するための、罫線機能を満足させる樹脂材料をノズルから雄型１上に押出又は垂れ流し、折線形状に合わせて線作画する要領で雄型形状作成し固形させて折れ線成型４を製作する。【選択図】図−１
2017013477.tif 000002
【特許請求の範囲】
【請求項１】
折れ線成型用雄型の製作において、平面又は円筒盤面上に、雄型機能を満足する材料をノズルから線状に押出しまたは垂れ流しながら線作画する要領で形成し製作する方法。
【発明の詳細な説明】
【発明の詳細な説明】
【産業上の利用分野】
【０００１】  本発明は例えば、板紙、段ボール、又は樹脂フィルムの折れ線を押圧成型加工する時に使用する雄型に関するものである。
【背景技術】
【０００２】  従来の折れ線成型用雄型の製造方法は、必要とする折れ線形状に合わせて、金属製の帯鉄を切断又は曲げ加工をし（以後罫線と言う）、それらを保持する為の平面又は円筒板材に溝加工を施しそこへ罫線を挿入し製作するのが一般的である。【０００３】  上述から、現状製造方法は罫線部材の加工、保持部材の溝加工、挿入組立加工らが必要で有り、製作工程が多く且つ難易度高い加工で有る事から、生産性向上は困難な状況にあると云う大きな問題を抱えている。
【発明が解決しようとする課題】
【０００４】  上記説明でも明らかなように、上記公知の製造方法が抱えている、生産性の問題を解決することにある。
【０００５】  本発明は、上記の問題点を解決するためになされたもので、罫線機能を満足させる材料をノズルから押出または垂れ流し、折れ線形状に合わせて線作画し、固形させて同型を製作する方法を提供することにより生産性の大幅な向上を図る事に有る。
【課題を解決するための手段】
【０００６】  上記課題を解決するために、本発明は、罫線材料として樹脂を主たる材料とした素材を用い得る事を特徴とする。
【０００７】  折れ線用雄型形状は線作画要領で製作する事を特徴とする。
【発明の効果】
【０００８】  例えば金属製の罫線材料の加工、保持材の溝加工等の機械加工、挿入加工等の主に手作業が無くなり生産性が向上し、同時に費用の削減の可能性が増大する。
【０００９】  罫線に適応する材料を押出しまたは垂れ流しつつ目的形状を製作する事により、より省力化、生産性向上が実現できる特徴を有している。
【００１０】  利用材料が種類または量共に少なくなり、在庫環境の削減が図れる事から効率的な資材管理環境を構築する事が可能となり、生産性向上と費用削減に貢献出来る事を特徴としている。
【実施例】
【００１１】  本発明による加工例を図で示し説明する。【００１２】  ［図−１］は、平面上に樹脂材料が押し出し又は垂れ流しにより盛りあがり加工された例を示している。
【図面の簡単な説明】
【００１３】
【図−１】は雄型を雄型取り付け盤面に装着した状態を示している。
【符号の説明】
【００１４】▲１▼雄型      ▲２▼雄型取付け盤      ▲３▼（折れ線成型）罫線断面
▲４▼（折れ線成型）罫線
【図−１】
2017013477.tif 000003
(57)【要約】      （修正有）【課題】地上の基地を必要とせず、通常推進力でのシステム補正を容易にし、余剰遠心力を必要とせず、宇宙への往復をクライマー無しで可能にする方法を提供する。【解決手段】楕円軌道を利用した浮遊型の宇宙エレベーター、という方法を提供する。近地点において、宇宙船１は大気圏内にあり、飛行船などを使い乗員の乗り降り、物資の補給などを行なう。また、大気圏内において宇宙船１の通常推進力を用いシステム全体の補正を行なう。遠地点において、宇宙船１は宇宙空間にあり、観光や天体観測などを行なう。以上の往復運動を、ほぼ毎日１回繰り返す。【選択図】図１
2017013791.tif 000002
【特許請求の範囲】
【請求項１】
楕円軌道を利用した浮遊型の宇宙エレベーター。
【発明の詳細な説明】
【技術分野】
【０００１】  本発明は、楕円軌道を利用した、浮遊型の宇宙エレベーター、という方法に関するものである。
【背景技術】
【０００２】  従来の宇宙エレベーターの概念は、赤道上の基地と静止軌道とを結ぶものである。
【先行技術文献】
【０００３】
【非特許文献】
【非特許文献】  的場健  著，金子隆一  協力，「まっすぐ天へ  Ｖｏｌ．１」講談社，２００４年
【発明の概念】
【発明が解決しようとする課題】
【０００４】  しかしながら、従来の宇宙エレベーターの概念では、以下の課題がある。
【０００５】  赤道上に基地を建設する必要がある。
【０００６】  片方の末端が地上に固定されている為、通常推進力（大気中で使用出来る、プロペラやジェットなどの推進力）でのシステムの補正が困難である。
【０００７】  システムの安定性確保の為に余剰に遠心力を得る必要が有り、カウンターウェイト（遠心力を得るための重り）をその分重くしなければならない。したがって強度がより必要である。
【０００８】  乗員を載せるクライマー（自走式昇降機）が不可欠である。クライマーが宇宙で停止する事故が考えられる。
【０００９】  そこで、本発明は、地上の基地を必要とせず、通常推進力でのシステム補正を容易にし、余剰遠心力を必要とせず、宇宙への往復をクライマー無しで可能にする方法を提供することを目的とする。
【課題を解決するための手段】
【００１０】  そして、上記目的を達成するために、本発明は、楕円軌道を利用した浮遊型の宇宙エレベーター、という方法を特徴とする。
【００１１】  本発明において、全システムは常に浮遊しており地上の基地は不必要である。
【００１２】  本発明における宇宙船は、近地点において大気圏内にあり、宇宙船に取り付けられた通常推進力によりシステムの補正が容易である。
【００１３】  本発明は重力と遠心力とのバランスにより成り立っており、余剰遠心力は不必要である。
【００１４】  本発明においての宇宙船は、楕円軌道の遠地点と近地点の距離の差だけ、宇宙と大気圏とを自動的に往復する。したがってクライマーの必然性はない。
【発明の効果】
【００１５】  上述したように本発明の宇宙エレベーターは、地上の基地を必要とせず、通常推進力でのシステム補正を容易にし、余剰遠心力を必要とせず、宇宙への往復をクライマー無しで可能にする方法を提供する。
【図面の簡単な説明】
【００１６】
【図１】本発明の近地点における概念図。
【図２】本発明の遠地点における概念図。
【発明を実施するための形態】
【００１７】  以下、本発明の一実施形態を、図に基づいて説明する。
【００１８】  図においては、１は宇宙船で、２はカウンターウェイト、３はワイヤー部、４は無重力実験室、５は地球。利用する楕円軌道は、静止軌道に近いもので周期がほぼ１日、遠地点と近地点との距離差は宇宙船１が大気圏と宇宙とを往復するに足りるものである。無重力実験室４は、基本的に常にこの楕円軌道上にある。
【００１９】  以下、上記構成の動作を説明する。
【００２０】  図１、近地点において、宇宙船１は大気圏内にあり、飛行船などを使い乗員の乗り降り、物資の補給などを行なう。また、大気圏内において宇宙船１の通常推進力を用いシステム全体の補正を行なう。
【００２１】  図２、遠地点において、宇宙船１は宇宙空間にあり、観光や天体観測などを行なう。
【００２２】  以上の往復運動を、ほぼ毎日１回繰り返す。
【符号の説明】
【００２３】  １  宇宙船
２  カウンターウェイト
３  ワイヤー部
４  無重力実験室
５  地球
【図１】
2017013791.tif 000003
【図２】
2017013791.tif 000004
(57)【要約】【課題】  本発明は、ボトル本体にシャンプーやリンスやボディソープ等を補充時、じょうごをボトル本体に固定し、一旦抜き出した手押しポンプを仮置きし、詰め替え袋入り商品を最後まできれいにしぼり出すことを目的とした、ポンプボトル用じょうごを提供する。【解決手段】  じょうご（１）の下部にボトル本体（７）に固定するための、ネジ付きキャップ（２）を設け、じょうご（１）の上部に、一旦取り出した手押した手押しポンプ（５）を仮置きできるじょうご（１）の上部にキザミ（４）を設け、さらに上部に、詰め替え商品（６）の中身をしぼり出すための二重の取っ手（３）を設け、ボトル本体（７）に固定できることを特徴とするポンプボトル用のじょうご。【選択図】図１
2017013894.tif 000002
【特許請求の範囲】
【請求項１】
じょうご（１）の下部にボトル本体（７）に固定するための、ネジ付きキャップ（２）を設け、じょうご（１）の上部に、一旦取り出した手押した手押しポンプ（５）を仮置きできるじょうご（１）の上部にキザミ（４）を設け、さらに上部に、詰め替え商品（６）中身をしぼり出すための二重の取っ手（３）を設け、ボトル本体（７）に固定できることを特徴とするポンプボトル用のじょうご。
【発明の詳細な説明】
【技術分野】
【０００１】  本発明は、じょうごの下部に、ボトル本体に合う、ネジ付きのキャップを設け、上部に手押しポンプを仮置きするためのキザミを設け、さらに、上部に詰め替え用袋入り商品の中身をしぼるための二重の取っ手を設け、詰め替えボトル本体に固定し、手押しポンプを仮置きし、詰め替え用袋入り商品の中身をしぼることができるように工夫した、ポンプボトル用のじょうごに関するものである。
【背景技術】
【０００２】  従来、シャンプーやリンスやボディソープ等のボトル本体に、詰め替え用の袋入り商品を補充するとき、従来の方法では、手押しポンプを一旦抜き出し、ボトル本体の狭い口に詰め替え袋の口を合わせて不安定な状態で、長い時間手で支えながら詰め替えをしていた。
先行技術文献は、変型のじょうごを利用したポンプボトル用じょうごが提案されている（特許文献１参照）。
【先行技術文献】
【特許文献】
【０００３】
【特許文献１】  特開２０１２−８２００８号公報
【発明の概要】
【発明が解決しようとする課題】
【０００４】  そのために次のような問題点があった。
補充後、じょうごが不安定で、補充作業の間、手で支えていなければならなかった。
また、詰め替え用袋入り商品の中身を手でしごいて押し出し、全量詰め替えるには、大変時間と労力が必要であった。
本発明は、以上の問題点を解決するためになされたものである。
【課題を解決するための手段】
【０００５】  じょうご（１）の下部にボトル本体（７）に固定するための、ネジ付きキャップ（２）を設け、じょうご（１）の上部に、一旦取り出した手押した手押しポンプ（５）を仮置きできるじょうご（１）の上部にキザミ（４）を設け、さらに上部に、詰め替え商品（６）の中身をしぼり出すための二重の取っ手（３）を設け、ボトル本体（７）に固定できることを特徴とするポンプボトル用のじょうご。
【発明の効果】
【０００６】  本発明は、じょうごの下部に、ボトル本体に合う、ネジ付きのキャップを設けてボトル本体に固定でき、手押しポンプも仮置きができ、なおかつ詰め替え商品の中身もしぼり出すことができるので、安定感と時間の短縮になる。
【図面の簡単な説明】
【０００７】
【図１】  本発明の分解斜視図である。
【図２】  本発明の斜視図である。
【図３】  本発明の使用状態を示した説明図である。
【発明を実施するための形態】
以下、本発明の実施の形態について説明する。
じょうご（１）の下部にボトル本体に合う、ネジ付きのキャップ（２）を設け、上部にキザミ（４）を設け、さらに上部に二重の取っ手（３）を設ける。
次に使い方を説明する。
補充するボトル本体（７）の口部にネジ付きのキャップ（２）を固定して、一旦取り出した手押しポンプ（５）を上部のキザミ（４）に仮置きし、詰め替え用袋入商品（６）を上に置き、中身を手でしぼりながら補充し、最後に上部の二重の取っ手（３）にはさみながら、中身を最後まできれいにしぼり出すことができる。
【符号の説明】
【０００８】    １  じょうご
２  ネジ付キャップ
３  取っ手
４  キザミ
５  手押しポンプ
６  詰め替え商品
７  ボトル本体
【図１】
2017013894.tif 000003
【図２】
2017013894.tif 000004
【図３】
2017013894.tif 000005
(57)【要約】      （修正有）【課題】飲食店で、お湯、砂糖、ミルク等のいろいろな調味料を設置し、調味料を調節してお客様に合ったコーヒーや紅茶、料理を提供することを可能とする。【解決手段】飲食店に、インスタントコーヒーや紅茶と、お湯、砂糖、ミルク等のいろいろな調味料を設置し、調味料を調節してお客様の口に合ったコーヒーや紅茶を提供する。料理についても、お客様においしく食べていただけるように調味料をいろいろと設置し、調味料を調節してお客様の口に合った料理を提供する。【選択図】なし【特許請求の範囲】
【請求項１】
インスタントコーヒーとお湯、砂糖、ミルクでお客様の口に合ったコーヒーをお店で出す。
【請求項２】
料理も、お客様においしく食べていただけるように調味料をいろいろと設置。
【発明の詳細な説明】
【技術分野】
【０００１】      本商品はいろいろなお客様に合ったコーヒーをサービスすることに関する。
【背景技術】
【０００２】      お店で濃いな薄いなと思ったことありまして、お客様に合ったコーヒーや紅茶を出せればいいなと思いました。あと、料理もいろいろな調味料でお客様の口に合わせるようにいろいろ置いとく。
【先行技術文献】
【非特許文献】
【０００３】
【非特許文献１】中華料理のお粥も調味料いっぱい出てきて自分で調節すること可能。
【発明の概要】
【発明が解決しようとする課題】
【０００４】        インスタントコーヒーをどれぐらいの量で、いくらで出すか、お湯の設置。お子様への配慮。テーブルの配置。場代。
【課題を解決するための手段】
【０００５】        インスタントコーヒーをいろいろ飲んでどれぐらいの量にするのか。いくらで出すのか決めたいと思っています。まずは田舎の土地でやろうと思っています。
【発明の効果】
【０００６】        そうすれば、いろいろなお客様に喜んでいただけます。残さずお客様に食べていただけます。環境にもいい。
(57)【要約】【課題】花粉症皮膚炎やハウスダストなどのアレルギーにより就寝中に顔に花粉やホコリなどが付着し気づかず、こすったり掻いて悪化してしまう。  花粉症皮膚炎などのアレルギーや乾燥から就寝中に顔を守るためのフェイスマスクを提供する。【解決手段】通常の鼻と口をカバーするマスクを額までカバーする大きさを設け、加湿したい場合は湿らせたガーゼなどを装着できるようにマスク裏面において眉間付近から鼻の領域にガーゼ止めベルトを設け、マスク表面において顔の縦中心線に沿う形で額から顎まで縁を圧着等の方法で外側に円弧状のアーチキープラインを設けることで顔の皮膚にはマスクが接触せず、マスクの外周縁付近だけが皮膚に接触し、他は皮膚との間に間隔を保持され、マスク裏面の目に当たる位置には穴を開けて透明シートで塞がれることを特徴とするウルトラガードマスクである。【選択図】図１
2017095844.tif 000002
【特許請求の範囲】
【請求項１】
通常の鼻と口をカバーするマスクを額までカバーするお面のような大きさに形成し、加湿したい場合は湿らせたガーゼなどを装着できるようにマスク裏面における眉間付近から鼻にあたる領域にガーゼ止めベルトを設け、マスク表側において、顔の縦中心線に沿う形で額から顎まで縁取り縫い、又は圧着等の方法で外に柔らかく膨らむ形で円弧状のアーチキープラインを設け、それによって花粉症皮膚炎などが炎症を起こす瞼や目の下などの敏感になる皮膚にはマスクが接触せず、マスクの外周縁付近だけが皮膚に接触し、他は顔の皮膚との間に間隔を保持され、更にマスク裏面における目に当たる位置には穴を開け透明シートで塞がれることを特徴とするウルトラガードマスク。
【発明の詳細な説明】
【技術分野】
【０００１】  本発明は、フェイスマスクに関するものである。
【背景技術】
【０００２】  花粉症皮膚炎とハウスダストアレルギーになり瞼と目の下が乾燥し炎症して痒みがあるので就寝中に気づかず顔を掻いて出血していた。
なお、一般的なフェイスマスクは目、鼻、口が開口し皮膚に接触しているのでこれらを防ぐことが不可能である（特許文献１参照）。
【先行技術文献】
【特許文献】
【０００３】
【特許文献１】特開２０１５−１５６９９６号公報
【発明の概要】
【発明が解決しようとする課題】
【０００４】  花粉症皮膚炎やハウスダストアレルギーなどにより就寝中に花粉やほこりなどが付着し気づかずにこすったり掻いたりして悪化してしまう。
本発明は、以上の問題点を解決するためになされたものである。
【課題を解決するための手段】
【０００５】  通常の鼻と口をカバーするマスクを額までカバーするお面のような大きさに形成し、加湿したい場合は湿らせたガーゼなどを装着できるように眉間付近から鼻に当たる領域にガーゼ止めベルトを設け、顔の縦中心線に沿う形で額から顎まで縁取り縫い・又は圧着等の方法で、外に柔らかく膨らむ形で円弧状のアーチキープラインを設け、それによって花粉症皮膚炎が炎症を起こす瞼や目の下などの敏感になる顔の皮膚にはマスクが接触せず、マスクの外周縁付近だけが皮膚に接触し、他は全面が皮膚との間に間隔を保持され、更に目に当たる位置には穴を開け透明シートで塞がれる。
以上の構成を特徴としたウルトラガードマスクである。
【発明の効果】
【０００６】  花粉症皮膚炎などのアレルギーで敏感になっている顔全体を花粉やハウスダストなどから守ることができ、炎症や痒みを抑えられるので就寝中にこすったり、掻くことも出血する事もなくなり、さらに顔全体が呼吸により加温、加湿し乾燥による痒みや肌荒れやシワ、目、鼻、口の渇きも防ぐことが出来る。
又、通常のマスクは、鼻と口回りをフィットさせカバーするので夜など長時間すると炎症を起こしている目の下にマスクの跡がクッキリと出て目立ち、炎症がさらに悪化してしまうが、本発明のウルトラガードマスクは、あまり敏感ではない場の周り付近までマスクでカバーするのでマスクの跡が目立たずにすむ。
更に本発明は顔全体をカバーすることで、口や鼻だけをカバーするマスクより、マスク自体がより一層立体的になり空間が出来ることで呼吸もさらに楽になり、アレルギーで敏感になっている部分の皮膚に接触する面積も少なくなる。
又、飛行機内など液体やスプレーなど化粧品類の持ち込み規制があり保湿を十分に出来ない乾燥している所では、喉・唇・鼻・目を含め顔全体の乾燥を防ぎ、さらにマスクと皮膚との間隔が十分にあるため、メークをしている場合でもマスクに殆ど付かず化粧崩れを心配する必要もほとんどない。
【図面の簡単な説明】
【０００７】
【図１】本発明の斜視図
【図２】本発明の裏面図
【発明を実施するための形態】
【０００８】  以下、本発明の実施の形態を説明する。
（イ）図１のフェイスマスク表面（１）の構造で示されているように、通常の鼻と口をカバーするマスクを額から顎までお面のように顔全体をカバーし、アーチキープライン（５）やチークキープライン（４）を形成したフェイスマスクを設ける。
尚、鼻から下の口だけを覆うサイズの場合も基本構造上の違いはなく、外周縁付近だけが皮膚に接触し他は全面皮膚との間に間隔が保持される。
（ロ）頬の部分がマスクに接触する場合はチークキープライン（４）に面テープ等留め具（６）で留め、マスクをより立体的にすることが可能である。
（ハ）乾燥がひどい時は皮膚のバリア機能が低下し、さらに花粉症皮膚炎などが悪化しがちであるがその様な時は、図２のフェイスマスク裏面（７）の構造で示されている様に、加湿用に湿らせた加湿用ガーゼ（８）を、敏感になっている皮膚に接触しないように加湿ガーゼ止めベルト（９）で装着できる。又、目に当たる位置に穴を開けて穴あき目（２）を設け、透明シート（１０）で塞ぐ。
本発明は以上のような構造である。
本発明を使用するときは、花粉の季節による花粉症皮膚炎が発症する時期などに瞼や目の下などが乾燥し、痒みや赤く炎症を起こし、就寝中に気づかないうちにこすったり、かいたりして炎症を悪化させないようにするために、マスクと同じように顔全体をカバーするように装着する。
また、飛行機内など液体やスプレー式の化粧品類の持ち込みが制限され、十分に保湿が出来ない場所でも、ウルトラガードマスクで口や鼻だけでなく顔全体を乾燥から守ることが出来る。
更にメークしたまま仮眠したい場合にもウルトラガードマスクを装着すれば顔の皮膚とマスクに空間があるので、メーク崩れの心配がほとんどない。
【符号の説明】
【００９】１    フェイスマスク表面
２    穴あき目
３    耳かけ
４    チークキープライン
５    アーチキープライン
６    面テープ等留め具
７    フェイスマスク裏面
８    加湿用ガーゼ
９    加湿ガーゼ止めベルト
１０  透明シート
【図１】
2017095844.tif 000003
【図２】
2017095844.tif 000004
(57)【要約】【課題】  天然植物から効用ある植物を選択し、水洗い、手洗い時に使用するスキンケア用品を生成し、手のひび割れ、あかぎれの予防ケアができ、安全で安心して使用できることが課題である。【解決手段】  天然植物の葉、茎、花、果実皮、果実、種子、根、および表皮から生成した肌効用刻み品、肌効用粉砕品、肌効用粉末品、および肌効用造粒品から少なくとも１種を繊維袋に入れ、固体の肌効用剤肌入り肌うるおい袋とし、水洗い、手洗い時に水に浸し、手、肌を拭き洗いすれば、天然植物から生成した肌効用剤のうるおい成分が手、肌に与えられ、ひび割れ、あかぎれの予防ケアができ、安全で、安心して使用できる。【選択図】なし【特許請求の範囲】
【請求項１】
固体の肌効用剤と、繊維袋から成る肌るおい袋。
【請求項２】
前記固体の肌効用剤は、天然植物の部位である葉、茎、花、果実皮、果実、種子、根、および表皮を、加工処理し、固体形状品とすることを特徴とする請求項１記載の肌うるおい袋。
【請求項３】
前記固体形状品は、前記天然植物の部位を洗浄し、乾燥処理し、刻み処理で肌効用刻み品、粉砕処理で肌効用粉砕品、粉末処理で肌効用粉末品、および造粒処理で肌効用造粒品とすることを特徴とする請求項１記載の肌うるおい袋。
【請求項４】
前記繊維袋は、天然繊維、化学繊維から形成し、入口部を閉じる構造を有し、前記固体の肌効用剤から少なくとも１種を入れる内袋と、前記固体の肌効用剤入り内袋から少なくとも１種を入れる外袋から成ることを特徴とする請求項１記載の肌うるおい袋。
【発明の詳細な説明】
【技術分野】
【０００１】
本発明は、固体の肌効用剤入り肌うるおい袋に関するものである。
【背景技術】
【０００２】
従来  肌のうるおいを保つ保湿美容液は、乾燥しやすい肌、水洗い後の手に使用し、この目的に特化した有効成分が高濃度に配合されている。
肌を守ることは、皮膚障害、アレルギー性反応を発生さない、高い安全性を求められている。そのなかで、植物性天然うるおい成分を配合された液体状のスキンケア用品がある。（例えば、非特許文献１参照）
求められているスキンケア用品は、食器洗いを始めとする水洗い、手洗い後に、うるおいを与え、繰り返して使用でき、ひび割れ、あかぎれの予防ケアができ、安全で、安心して使用できる天然植物から選ばれた植物のうるおい成分を含有する肌効用剤で構成することである。
【先行技術文献】
【非特許文献】
【０００３】
【非特許文献１】良品計画ＨＰ、  ⇒  無印良品、  ⇒  ヘルス＆ビューティー、  ⇒  スキンケア、  ⇒  スキンケア用品  （Ｈ２７年１１月）
【発明の概要】
【発明が解決しようとする課題】
【０００４】
従来、美容液は、保湿成分を含有し、粘度ある液体状で容器入りのため、すぐスキンケアできない不便さが有る。
本発明は、天然植物からうるおい成分を含有する固体の肌効用剤を生成し、手、肌にうるおい成分を与え、ひび割れ、あかぎれの予防ケアができ、安全で、安心して使用できる、固体の肌効用剤入り肌うるおい袋を提供することを課題とする。
【課題を解決するための手段】
【０００５】
本発明は、上記課題を達成するために天然植物の部位である葉、茎、花、果実皮、果実、種子、根、および表皮から固体の肌効用剤を形成し、前記固体の肌効用剤を繊維袋に入れ、固体の肌効用剤入り肌うるおい袋を形成するものである。
【発明の効果】
【０００６】
上述したように本発明の肌うるおい袋は、水洗い時、手洗い時に、水に浸し、手、肌を拭き洗いすれば、手、肌にうるおい成分を与え、ひび割れ、あかぎれの予防ケアすることができる。
【０００７】
なお、水に浸した固体の肌効用剤入り肌うるおい袋を水洗い場、手洗い場に置くことで、手、肌を拭き洗いができ、繰り返して使用できる、更に固体の肌効用剤入り肌うるおい袋から少なくとも１種を外袋に入れ、入口を閉じ、水に浸し、手、肌を拭き洗いすれば、固体の肌効用剤のうるおい成分を手、肌に与えられる、外袋内のうるおい袋を交換することもでき、肌にあう固体の肌効用剤を選択できる。
【発明を実施するための形態】
【０００８】
以下、本発明の実施の形態を説明する。
【０００９】
固体の肌効用剤は、天然植物から選ばれたヨモギ、ドクダミ、アロエ、および紫蘇の葉、茎と、柿、および  ユズの果実皮と、桜、柿、ビワ、および桃の若葉と、カリン、および  ゴーヤの果実と、大豆、小豆、およびハトムギの種子から、肌効用刻み品、肌効用粉砕品、肌効用粉末品、および肌効用造粒品を生成する。
【００１０】
前記肌効用刻み品は、前記天然植物のヨモギ、ドクダミ、アロエ、および紫蘇の葉、茎と、柿  および  ユズの果実皮と、桜、柿、ビワ、および桃の若葉とを個々に洗浄し、自然乾燥、または通風乾燥で乾燥処理し、乾燥した葉、茎、果実皮、および若葉を、シュレッダーで刻み処理し、生成する。
前記肌効用粉砕品は、前記天然植物のヨモギ、ドクダミ、アロエ、および紫蘇の葉、茎と、柿  および  ユズの果実皮と、桜、柿、ビワ、および桃の若葉と、カリン  および  ゴーヤの果実と、大豆、小豆、およびハトムギの種子とを個々に洗浄し、自然乾燥、または通風乾燥で乾燥処理し、乾燥した葉、茎、果実皮、若葉、果実、および種子を粉砕機で粉砕処理し、生成する。
前記肌効用粉末品は、前記天然植物のヨモギ、ドクダミ、アロエ、および紫蘇の葉、茎と、柿  および  ユズの果実皮と、桜、柿、ビワ、および桃の若葉と、カリン  および  ゴーヤの果実と、大豆、小豆、およびハトムギの種子とを個々に洗浄し、自然乾燥、または通風乾燥で乾燥処理し、乾燥した葉、茎、果実皮、若葉、果実、および種子を粉砕機で粉末処理し、生成する。
前記肌効用造粒品は、前記天然植物のヨモギ、ドクダミ、アロエ、および紫蘇の葉、茎と、柿  および  ユズの果実皮と、桜、柿、ビワ、および桃の若葉と、カリン  および  ゴーヤの果実と、大豆、小豆、およびハトムギの種子とを個々に洗浄し、自然乾燥、または通風乾燥で乾燥処理し、乾燥した葉、茎、果実皮、若葉、果実、および種子を粉砕機で粉末処理し、生成した粉末品から少なくとも１種を造粒機で造粒処理し、生成する。
【００１１】
繊維袋は、前記固体の肌効用剤を入れる内袋と、肌効用剤入り内袋を入れる外袋からなる。
前記内袋と、前記外袋は、天然繊維、化学繊維から形成し、入口部は、一端を折りたたむ構造、または両端を合わせ止め構造とする。
【００１２】
前記肌効用刻み品、前記肌効用粉砕品、前記肌効用粉末品、および前記肌効用造粒品から成る固体の肌効用剤から少なくとも１種を前記内袋に入れて成る、固体の肌効用剤入り肌うるおい袋で手、肌を拭き洗いすることで、手、肌にうるおいを与え、ひび割れ、あかぎれの予防ケアすることができる。
【００１３】
前記固体の肌効用剤入り肌うるおい袋から少なくとも１種を前記外袋に入れて成る、固体の肌効用剤入り肌うるおい袋で手、肌を拭き洗いすることで、手、肌にうるおいを与え、ひび割れ、あかぎれの予防ケアすることができる。
【００１４】
上述の固体の肌効用剤の原料である天然植物は、身近な場所で採取できる。新たに、肌に効用がある天然植物を採取できれば、新たな天然植物の部位である葉、茎、花、果実皮、果実、種子、根、および表皮を上述の処理方法で、固体の肌効用剤を生成することができる。
(57)【要約】      （修正有）【課題】市町村のもやせるゴミ袋、大レジ袋４５ｌタイブを入れて使用する、家庭ゴミを出しやすくする箱型ゴミ収集箱を提供する。【解決手段】ベニヤ板１、２、３，４、７、プラスチックコーナー５をビス６で止めて組み立て式の箱を作り、その中に市町村のもやせるゴミ袋、大レジ袋４５ｌタイブを入れてごみ収集箱とする。【選択図】図１
2017095278.tif 000002
【特許請求の範囲】
【請求項１】
市町村ゴミ（レジタイプ４５ｌ）袋（大）４５．０×８５，０  入れる箱
【請求項２】
ゴミ袋を入れる箱
【発明の詳細な説明】
【技術分野】
【０００１】図面Ｉの様にベニヤ板で箱を作ります
【背景の技術】
【０００２】図面２の様に市町村、使様のもやせるゴミ袋、大レジ袋４５ｌタイブを箱の中に入れます
【発明の開示】
【図面の簡単な説明】
【０００５】
【図１】０，５厚のベニヤ板、横巾３２，０，立５８，０  ２枚０，５厚のベニヤ板，横巾３１，０立５８，０  ２枚３０，０巾の正方形の底板  １枚
【図２】全体図
【符号の説明】
【図１】
▲１▼  ▲２▼０，５ベニヤ板３２，０×５８，０▲３▼  ▲４▼０，５ベニヤ板３１，０×５８，０▲５▼プラスチック△コーナー２，０×５０，０  ４本▲６▼ビスで△コーナーを▲１▼▲２▼ベニヤ板の中面０，５ベニヤ板の厚み０，５空けて中面に張り外面からビスで止める▲７▼０，５ベニヤ×板３０，５×３０，５底板を箱の下側から入れる▲８▼の底板３０，０×３０，０に▲５▼のコーナを入れて▲３▼▲４▼の▲５▼を下側に入れて外面に▲６▼のビス止
【組み立て式】
【図面１】
１  ▲７▼ベニヤ板にカラー着色２  ▲１▼▲２▼の中面に▲５▼貼り付け▲１▼▲２▼外面に０，３の下穴を開け▲６▼のビスで止める３  ▲３▼▲４▼を▲５▼に合せて外面に下穴を開けて▲６▼で止める４  ▲３▼▲４▼に▲２▼を▲５▼に合せて▲２▼外面に下穴を開けて▲６▼で止める５  ▲７▼ベニヤ板
【図１】
2017095278.tif 000003
【図２】
2017095278.tif 000004
(57)【要約】      （修正有）【課題】ゴキブリ退散香の提供。【解決手段】小皿の上に梅干１個分ほどのもぐさを置き、マツチで火を付ける。家中に良いにをいがたちこめて５分間ほどで火は消えるがいいかをりは長くのこる。灰はそのままで次の日その灰の上に同量のもぐさを置き火を付ける。これをくり返す。ヨモギで作るもぐさも有効である。【選択図】なし【特許請求の範囲】
【請求項１】
市販のもぐさを使うがお灸ではなくて人体には使用しない
小皿でもぐさを煙らせるのである。
【請求項２】
小皿の上に梅干１個分ほどのもぐさを置き、マツチで火を付ける
家中に良いにをいがたちこめて５分間ほどで火は消えるがいいかをりは長くのこる
灰そのままで次の日その灰の上に同量のもぐさを置き火を付ける
これのくり返しである。
【請求項３】
ヨモギで作るもぐさも有効である。
【発明の詳細な説明】
【技術の分野】
【０００１】退治してもやってくるゴキブリがいつのまにか姿を見せなくなり思いあたりました、もぐさをたいたにをいがゴキブリにはにがてであると確かめましたのである。
【０００２】もぐさは上等品ではなくて下級品の安価な物で良い。
【背景技術】
【０００３】もぐさが手にはいらない時は薬草のヨモギを使う
夏８月、ヨモギを刈り取り乾燥させて葉だけをむしり、スリ鉢に入れてすりくだく２０分もすると手作りもぐさの出来上りそれを、缶に入れて保存しておくのである。
【図１】
2017095436.tif 000002
【図２】
2017095436.tif 000003
【手続補正書】
【提出日】平成28年3月18日(2016.3.18)
【手続補正１】
【補正対象書類名】明細書
【補正対象項目名】全文
【補正方法】変更
【補正の内容】
【発明の詳細な説明】
【技術分野】
【０００１】ゴキブリ退治に粘着紙  エアゾール等使うがかくれているゴキブリは殺せない
もぐさの香を楽しんでいて気がついた  ゴキブリがいなくなったのである【０００２】もぐさを梅干１個分ほどを小皿にのせてマツチで火を付ける
煙は５分から１０分で消えるがあとの灰の中にゴキブリのいやがるにおいが２４時間以上も続くのである
【背景技術】
【０００３】私の家は建ってから５０年の古い平屋の４軒長屋で１１棟ありゴキブリがはいりこみ困っていた  もぐさを毎日１回いぶして１０日でゴキブリはいなくなったのである  いぶしてとは煙らせることである
【図面の簡単な説明】
【０００４】
【図１】小皿にもぐさを１個分ほどのせてマツチで火をつける  １個分とは梅干ほどのもぐさのことである
【図２】もぐさは５分から１０分で消えるが灰の中にゴキブリのきらうにおいが２４時間以上も続くのである
【符号の説明】
【０００５】１  小皿にもぐさをのせたものでそのもぐさに火をつけて煙らせるのである
２  もぐさをのせた小皿である
３  もぐさがもえつきた灰であるがこの灰のにをいがゴキブリにとってはいやなにおいでこのにおいをとてもきらう  灰は重要で次の日もその灰の上にもぐさをのせて火を付けることを１０日続けるだけでゴキブリがいなくなるのである